(57)【要約】【課題】被マッサージ部分をリラックスした状態で幅広くマッサージすることのできるマッサージ具を提供する。【解決手段】二股状のハンドル部１１の先端から延びて設けられた向かい合う一対の湾曲する各アーム１２に複数の指圧ローラ１３が、回転可能にかつ、スライド自在に取り付けられる。前記ハンドル部１１を握って閉じると一対の各アーム１２が互いに接近し、このアーム１２の各指圧ローラ１３が被マッサージ部分２０に両側から押し付けられる。さらにハンドル部１１を往復して移動させることで、一対の各アーム１２の各指圧ローラ１３が転動して、その各突起１７が被マッサージ部分２０の表面を順次押し付ける。これにより、被マッサージ部分２０が動かないように力を入れる必要がなくなるのでリラックスした状態でマッサージすることができ、被マッサージ部分２０のより広い範囲をマッサージすることができる。【選択図】図１
0003120948.tif 000002
【実用新案登録請求の範囲】
【請求項１】
弾性を有する二股状のハンドル部（１１）の先端にそれぞれアーム（１２）を設け、この一対の各アーム（１２）にこれを回転軸として複数の指圧ローラ（１３）を回転可能に取り付け、前記ハンドル部（１１）を閉じて前記一対の各アーム（１２）を接近させて被マッサージ部（２０）を前記各指圧ローラ（１３）で挟むようにしたマッサージ具。
【請求項２】
上記一対の各アーム（１２）は、その中間部が上記ハンドル部（１１）の開閉方向外向きに湾曲して形成されたものであり、上記各指圧ローラ（１３）が前記アーム（１２）にスライド自在に取り付けられた請求項１に記載のマッサージ具。
【請求項３】
上記指圧ローラ（１３）は、その外周面に複数の突起（１７）を有する請求項１または２に記載のマッサージ具。
【考案の詳細な説明】
【技術分野】
【０００１】
この考案は、身体の凝った部分を指圧してマッサージする指圧ローラを備えたマッサージ具に関する。
【背景技術】
【０００２】
一般に、身体の凝った部分を指圧してマッサージするために、手に持って使用することで手軽に指圧効果を得られる指圧ローラを備えたマッサージ具が用いられている。この指圧ローラを備えたマッサージ具として、従来、ハンドル部材に対して回転自在に取付けた指圧ローラの外周面に多数の突起を放射状に設けた構造のもの（特開平９−２７１５００号公報  図１参照）が知られている。
【０００３】
上記マッサージ具は、そのハンドル部材を手に持ち、その指圧ローラの突起を身体の凝った部分の表面に押し付けながらその表面に沿って移動させると、指圧ローラが転動し、各突起が凝った部分の表面を順次押圧して指圧効果が得られるものである。
【考案の開示】
【考案が解決しようとする課題】
【０００４】
上記マッサージ具は、その指圧ローラが接触して押圧する部分に指圧効果が得られるものであるが、被マッサージ部分（凝った部分）が上腕部やふくらはぎの場合では、これらの部位が他の部位よりも細いため、その長さ方向に指圧ローラを移動させると指圧ローラとの接触面積が小さくなり指圧ローラによる指圧効果を十分に得られない。
【０００５】
また、上記マッサージ具の指圧ローラを上腕部などに押さえ付けて移動させるには、押さえ付けている指圧ローラにより上腕部が動かないように力を入れる必要があり、力を入れた状態（緊張状態）では指圧効果を十分に得られないという問題もあった。
【０００６】
そこで、この考案は、被マッサージ部分をリラックスした状態で幅広くマッサージすることのできるマッサージ具を提供することを課題とする。
【課題を解決するための手段】
【０００７】
上記の課題を解決するために、この考案は、弾性を有する二股状のハンドル部の先端にそれぞれアームを設け、この一対の各アームにこれを回転軸として複数の指圧ローラを回転可能に取り付け、前記ハンドル部を閉じて前記一対の各アームを接近させて被マッサージ部を前記各指圧ローラで挟むようにした構成としたのである。
【０００８】
この構成によると、上記ハンドル部を閉じると一対の各アームが互いに接近し、この接近した一対の各アームの各指圧ローラが被マッサージ部分を両側から挟んで押し付ける。この各指圧ローラが押し付けられた状態でハンドル部を被マッサージ部分の長さ方向に往復して移動させることにより、各指圧ローラが転動し被マッサージ部分を両側から指圧してマッサージする。この指圧ローラが被マッサージ部分を両側から挟むように指圧するので、指圧ローラを押し付ける際に被マッサージ部分が動かないように力を入れる必要がなくなり、リラックスした状態でマッサージすることができる。
【０００９】
また、上記一対の各アームは、その中間部が上記ハンドル部の開閉方向外向きに湾曲して形成されたものであり、上記各指圧ローラが前記アームにスライド自在に取り付けられた構成とすることができる。このようにすると、前記一対の各アームの中間部が上記ハンドル部の開閉方向外向きに湾曲しているので、上記ハンドル部を閉じると、一対の各アームの各指圧ローラのそれぞれが被マッサージ部分の両側からその表面に沿って押し付けられる。このため、被マッサージ部分のより広い部分が前記各指圧ローラによって指圧される。
【００１０】
さらに、上記各指圧ローラが一対の各アームにスライド自在に取り付けられているので、上記ハンドル部を閉じ、一対のアームの各指圧ローラを被マッサージ部分に押し付けてハンドル部を移動させると、各指圧ローラに互いに接近する方向に向かう力が働くため、この各指圧ローラが前記各アームの中間部に集まるように移動する。各指圧ローラが移動することにより各指圧ローラ間のすき間が狭くなるので、これらの指圧ローラの間に挟まれた皮膚や筋肉に対してもみ作用が発生し、指圧ローラの指圧作用とともに一層マッサージ効果を高めることができる。
【００１１】
また、上記指圧ローラは、その外周面に複数の突起が設けられたものであってもよい。この指圧ローラに突起が設けられることで、指圧ローラの転動に伴いその各突起が被マッサージ部分の表面を順次押し付けるので、その表面に対して押し付け力（指圧力）の強弱が得られ、指圧の効果が高めることができる。
【考案の効果】
【００１２】
以上のように、この考案のマッサージ具は、一対の各アームの各指圧ローラが被マッサージ部分を両側から挟むので、その被マッサージ部分の力を入れる必要がなく、リラックスした状態で幅広くマッサージすることができる。
【考案を実施するための最良の形態】
【００１３】
以下、添付図面に基づいてこの考案の実施形態を説明する。
この考案の実施形態のマッサージ具を添付図面図１から図７に示す。この実施形態のマッサージ具１０は、図１に示すように、二股状のハンドル部１１と、このハンドル部１１の先端から延びて設けられた互いに向かい合う一対のアーム１２、１２と、この各アーム１２に回転可能に取り付けられた複数の指圧ローラ１３とから構成される。
【００１４】
上記ハンドル部１１は、図２に示すように、弾性を有する合成樹脂製の棒状体を屈曲させて二股状に成形したものであり、このハンドル部１１の二股部分を互いに閉じる方向または開く方向に力を作用させない自然状態では、その二股部分が所定の間隔をもって開いた状態となっている。また、その二股部分には滑り止め１４が複数形成されているので、ハンドル部１１をしっかり握ることができる。前記ハンドル部１１の二股部分の先端からその開閉方向外向きに延びる一対の各アーム１２がそれぞれ前記ハンドル部１１と一体に設けられる。
【００１５】
上記一対の各アーム１２は、上記ハンドル部１１の開閉方向外向きに湾曲しながら延び、中間部を経て、その先端部に向かって前記の開閉方向内向きに形成されたものであり、前記中間部が湾曲し、その間隔が最も広くなっている。一対の各アーム１２が前記ハンドル部１１に一体に設けられているので、ハンドル部１１を握ってその二股部分を閉じると一対の各アーム１２が互いに接近し、このアーム１２に取り付けられた後述する指圧ローラ１３が被マッサージ部分２０に両側から押し付けられる（図６参照）。この各アーム１２の先端部には前記指圧ローラ１３が抜け出ないように球状の抜け止め１５が設けられ、上記ハンドル部１１との間には、前記各指圧ローラ１３がハンドル部１１にスライドしないようにストッパー１６が設けられる。
【００１６】
上記各アーム１２には、それぞれ５個の指圧ローラ１３が回転自在に設けられる。この各指圧ローラ１３は、図３に示すように、円筒状に形成され、その外周面に先端が半球状の突起１７が所定間隔をもって複数設けられたものである。この各指圧ローラ１３が、前記各アーム１２の抜け止め１５とストッパー１６との間でスライド自在に取り付けられる。
【００１７】
なお、この突起１７の数は、図３（ｂ）に示すように、５個に設けられたものであるが、これに限らず、前記指圧ローラ１３の転動がスムーズに行われる限りにおいて、３個、４個、６個・・等と任意である。また、前記指圧ローラ１３は、例えば、図４に示すように、五角柱に形成してもよく、三角柱、四角柱、六角柱、・・等と多角柱に形成してもよい。要は、前記指圧ローラ１３の転動がスムーズに行うことができるものであればよい。このように、指圧ローラ１３が多角柱に形成されると、前述の突起１７の代わりにこの多角柱の角部分によって被マッサージ部分２０を指圧することができるからである。
【００１８】
以上のように、この実施形態のマッサージ具１０は構成され、以下にその作用を説明する。
まず、マッサージ具１０のハンドル部１１を持って、一対のアーム１２の間に手を通し、被マッサージ部分２０にまで移動させ、マッサージ具１０のハンドル部１１を握って閉じる。ハンドル部１１を閉じるとハンドル部１１と一体に設けられた一対の各アーム１２が互いに近づき、複数の各指圧ローラ１３が被マッサージ部分２０（上腕部）を両側から挟むように押し付けられる。この指圧ローラ１３が被マッサージ部分２０を両側から挟むように指圧するので、指圧ローラ１３を押し付ける際に被マッサージ部分２０が動かないように力を入れる必要がなくなり、リラックスした状態でマッサージすることができる。
【００１９】
上記一対の各アーム１２は、その中間部の間隔が最も広くなるように湾曲し、その各指圧ローラ１３がスライド自在に取り付けられている。このため、上記ハンドル部１１を閉じて一対の各アーム１２が近づくと、図６（ａ）に示すように、被マッサージ部分２０の表面に沿って各指圧ローラ１３がすき間をもって押し付けられる。各指圧ローラ１３がすき間をもって押し付けられることで、被マッサージ部分２０のより広い範囲をマッサージすることができる。
【００２０】
次に、上記指圧ローラ１３が被マッサージ部分２０に押し付けられた状態（ハンドル部１１を握った状態）で、図５に示すように、ハンドル部１１を被マッサージ部分２０の長さ方向に往復して移動させる。これにより、一対の各アーム１２の各指圧ローラ１３が転動し、その転動に伴って各突起１７が被マッサージ部分２０の表面を順次押し付けるので、その表面に対して押し付け力（指圧力）の強弱が得られ、指圧の効果が高めることができる。
【００２１】
また、被マッサージ部分２０に押し付けられた各指圧ローラ１３には、図７に示すように、一対の各アーム１２によって被マッサージ部分２０をこのアーム１２の直角方向に押し付ける力Ｆ１が働く。この力Ｆ１は、被マッサージ部分２０の表面を直角に押し付ける力Ｆ２と、被マッサージ部分２０の表面の接線の向きに働く力Ｆ３とに分解される。
【００２２】
上記の力Ｆ３が各指圧ローラ１３に働く状態で、上述のようにハンドル部１１を往復して移動させると、各指圧ローラ１３がアーム１２の中間部に向かう方向に移動することとなる。これにより、図６（ｂ）に示すように、各指圧ローラ１３間のすき間が狭くなるので、各指圧ローラ１３の間に挟まれた皮膚や筋肉に対してもみ作用が発生し、指圧ローラの指圧作用とともに一層マッサージ効果を高めることができる。
【図面の簡単な説明】
【００２３】
【図１】実施形態のマッサージ具を示す斜視図
【図２】同上のマッサージ具を示す正面図
【図３】（ａ）同上の指圧ローラを示す側面図、（ｂ）同上の指圧ローラを示す正面図
【図４】（ａ）同上の他の指圧ローラを示す側面図、（ｂ）同上の他の指圧ローラを示す正面図
【図５】同上のマッサージ具の使用状態を示す作用図
【図６】（ａ）同上のマッサージ具の移動前の状態を示す正面図、（ｂ）同上のマッサージ具の移動中の状態を示す正面図
【図７】同上のマッサージ具の指圧ローラの状態を示す一部拡大図
【符号の説明】
【００２４】
１０  マッサージ具
１１  ハンドル部
１２  アーム
１３  指圧ローラ
１４  滑り止め
１５  抜け止め
１６  ストッパー
１７  突起
２０  被マッサージ部
【図１】
0003120948.tif 000003
【図２】
0003120948.tif 000004
【図３】
0003120948.tif 000005
【図４】
0003120948.tif 000006
【図５】
0003120948.tif 000007
【図６】
0003120948.tif 000008
【図７】
0003120948.tif 000009